(57)【要約】【課題】【解決手段】細長い中空のネック部、即ち、ハンドルと連通した音響チャンバを有する単一の連続した本体を具備する振る楽器が提供される。この中空のハンドルは、開口，即ち，アパチャを有し、この開口を通して充填材が、音響チャンバに導入もしくはこれから除去され得る。この充填材は、開口を通って位置され、細長い中空のネック部の中に延びたプラグ、即ち、挿入体により、音響チヤンバに拘束される。更に、このような振る楽器を製造する方法が提供される。
2004518169.tif 000002
【特許請求の範囲】
【請求項１】
開口を有する中空のネック部と連通した音響チャンバと、
前記開口中に挿入可能で、前記中空のネック部の中に延出される細長いプラグとを具備し、
前記音響チャンバの中に位置された充填材が、プラグが前記中空のネック部の中に挿入されたときに、この中空のネック部を通過することが不可能である、楽器。
【請求項２】
前記音響チャンバと、中空のネック部とは、連続し、継ぎ目の無い本体の部分である請求項１の楽器。
【請求項３】
前記本体とプラグとは、熱可塑性樹脂材で形成されている請求項２の楽器。
【請求項４】
前記本体とプラグとは、合成樹脂、木、金属、もしくはこれらの組合わせで形成されている請求項２の楽器。
【請求項５】
前記本体とプラグとは、同じ熱可塑性樹脂材で形成されている請求項２の楽器。
【請求項６】
前記中空のネック部は、細長い請求項２の楽器。
【請求項７】
前記プラグは、前記細長い中空のネック部内でこれと一致するように細長い請求項２の楽器。
【請求項８】
前記細長いプラグは、前記中空のネック部内に永久に支持されている請求項１の楽器。
【請求項９】
前記細長いネック部は、更に、前記開口を囲んだファンネルを有する請求項１の楽器。
【請求項１０】
音響チャンバとネック部とを有し、この音響チャンバは、中空の前記ネック部と連通し、細長い中空のネック部は、開口を有する、単一の連続した本体を形成する工程と、
前記開口中に挿入可能で、前記中空のネック部の中に延出され得る細長いプラグを形成する工程と、
前記開口と中空のネック部とを介して前記音響チャンバの中に充填材を位置させる工程と、
前記細長いプラグを前記本体の中に挿入する工程とを具備し、
充填材は、前記中空のネック部を通過することが不可能である、楽器の製造方法。
【請求項１１】
前記本体とプラグとは、熱可塑性樹脂材で形成されている請求項１０の方法。
【請求項１２】
前記本体とプラグとは、同じ熱可塑性樹脂材で形成されている請求項１０の方法。
【請求項１３】
前記本体とプラグとは、合成樹脂、木、金属、もしくはこれらの組合わせで形成されている請求項１０の方法。
【請求項１４】
前記開口を囲んだファンネルが、本体と共に形成されている請求項１０の方法。
【請求項１５】
前記プラグを前記中空のネック部の中に取着させる手段を更に具備する請求項１０の方法。
【請求項１６】
前記プラグを前記中空のネック部の中に取着させる手段は，接着、融着、摩擦適合、並びにねじ結合からなるグループから選定される請求項１５の方法。
【請求項１７】
前記中空のネック部は、細長い請求項１０の方法。
【請求項１８】
前記プラグは、前記細長い中空のネック部内でこれと一致するように細長い請求項１７の方法。
【請求項１９】
前記細長いプラグは、前記中空のネック部内に永久に支持されている請求項７の方法。
【発明の詳細な説明】
【０００１】
【発明の属する技術分野】
本発明は、楽器並びに楽器の製造方法に関する。特に、本発明は、マラカスのような“振る（ｓｈａｋｅｒ）”楽器並びにこのような楽器の製造方法に関する。
【０００２】
【従来の技術】
振る楽器は、ラテンミュージックのミュージシャャンにとって重要である。ここで使用しているような、“振る楽器（シェカー；ｓｈａｋｅｒ  ｉｎｓｔｒｕｍｅｎｔ）”という用語は、中空の音響チャンバを有し、楽器が振られたときに、このチャンバの壁に当たって音を出す材料が中に入れられた全ての楽器を意味する。振る楽器は、マラカス、筒状シェカー、卵形状シェカー、ガンザス（ｇａｎｚａｓ）、カーカス（ｃａｘｉｘｉｓ）、並びに“アフリカの”シェカーを含む。例えば、伝統的なマラカスは、中空の乾燥したウリ形状体を有し、このウリ形状体が振られたときに、カラカラという音を出す乾燥された種を収容している。また、このような振る楽器は、ハンドルを有し得る。
【０００３】
振る楽器により出される音は、音響チャンバを形成するために使用される材料、音響チャンバ内に位置される充填材、および、音響チャンバの形状並びにサイズを含む幾つかのファクターに依存している。一般的に、振る楽器の所望の乾燥し速い音は、球状もしくは半球状の音響チャンバに充填材料を拘束することにより、得られる。
【０００４】
ポリスチレンのような熱可塑性合成樹脂材料で形成された振る楽器が、より一般的になってきている。このような合成樹脂の振る楽器は、木のような他の材料でできた振る楽器と比較して製造するのが容易である。さらに、合成樹脂の振る楽器、木製の対抗するものよりも耐久性がある。
【０００５】
上記合成樹脂製の振る楽器は、充填材が音響チャンバ中に入れられた後に、互いに接着される少なくとも２つの部品に、代表的には、モールド成形されている。
【０００６】
【発明が解決しようとする課題】
しかし、接着される複数の部品からなる振る楽器は、製造方法が単一の部品からなる楽器を製造する方法と比較して余分の工程を必要としているので、製造するのによりコストがかかる。さらに、部品の接合部に不可欠に生じる比較的弱い継ぎ目のために、接着される複数の部品からなる振る楽器は、使用している間に比較的簡単に分離するかも知れないし、また、児童安全テストを通らないかも知れない。
【０００７】
上記事情に鑑みて、１つの部品としてモールド成形され、また、音響チャンバに拘束される充填材を有する合成樹脂の振る楽器が、必要とされている。
【０００８】
本発明の目的は、振る楽器を提供することである。
本発明の他の目的は、熱可塑性樹脂でモールド成形される振る楽器を提供することである。
本発明の更なる目的は、１つの部品としてモールド成形され、また、これの音響チャンバに対して充填材を出し入れすることの可能なような、合成樹脂の振る楽器を提供することである。
本発明の更なる目的は、音響チャンバに対して充填材を出し入れすることのできる開口を有し、単一の部品としてモールド成形され、前記開口を閉じる実質的なプラグを有する熱可塑性の振る楽器を製造する方法を提供することである。
【０００９】
【課題を解決するための手段】
上記事項に鑑みて、細長い中空のネック部、即ち、ハンドルと連通した音響チャンバを有する単一の連続した本体を具備する振る楽器が提供されている。この中空のハンドルは、開口，即ち，アパチャを有し、この開口を通して充填材が、音響チャンバに導入もしくはこれから除去され得る。この充填材は、開口を通って位置され、細長い中空のネック部の中に延びたプラグ、即ち、挿入体により、音響チヤンバに拘束される。
【００１０】
更に、このような振る楽器を製造する方法が提供されている。この方法は、従来の方法と比較は手簡単であり、また、楽器の比較的弱く安全で無い継ぎ目を無くしている。
【００１１】
本発明の他の目的と態様とは、図面を参照した以下の詳細な記載に関連して説明される。
【００１２】
【発明の実施の形態】
図面、特に、図１に、参照符号１が全体を通して付された、本発明に係わる振る楽器が示されている。この振る楽器１は、本体１０とプラグ３０とを有する。
【００１３】
この本体１０は、体壁２０と、この体壁に連続するように接続されたネック部、即ち、ハンドル２６とを有する。これら体壁２０と、ハンドル２６とは、連続した中空の内部を規定している。また、この体壁２０は、連続した中空の内部のうちの中空内部、即ち、音響チャンバ２４を規定している。この音響チャンバ２４は、好ましくは、球形状をしている。前記ハンドル２６は、ネック即ちハンドル開口２８を規定している中空内部を有する。このハンドル２６は、手もしくは装着装置（例えば、クランプ）により掴まれるのに適した細長い断面を有する。
【００１４】
図３に示されるように、前記本体１０は、フアンネル状に広がったハンドル開口２８をオプションとして有する、ハンドル２６に連続的に接続された体壁２０を有する。
【００１５】
前記音響チャンバ２４は、充填材４０を保持するのに適している。この充填材４０としては、適当な形状を有する適当な材料で良い。例えば、充填材４０は、スチール並びに／もしくは合成樹脂のピードもしくは粒子（ｓｈｏｔ）で良い。
【００１６】
図１並びに２に示すように、プラグ、即ち、挿入体３０が、ハンドルの開口を塞ぐように適合されている。特に、この挿入体３０は、ンハドル２６の内部の全てではないが、大部分を占めて、本体１０内の中空スペースを減じるようになっている。一般的に、前記ネック部２６は、好ましくは、細長い中空形状を有するので、挿入体３０は、また、細長い中空の形状を有することが好ましい。さらに、この挿入体３０は、好ましくは、ハンドル２６の外形と一致するように成形されている。かくして、挿入体３０は、ハンドル２６の外状と合うように成形されたキャップ部３４を有することが好ましい。
【００１７】
前記挿入体３０は、ハンドルの開口中に永久に、もしくは取り外し可能に挿入され得る。さらに、この挿入体３０は、取着のための適当な手段を使用することにより、ハンドルの開口２８内に支持され得る。例えば、挿入体３０は、接着剤並びに／もしくは融着により、ハンドルの開口２８内に永久に支持され得る。一方、挿入体３０は、摩擦適合並びに／もしくはねじ結合により、ハンドルの開口２８内に取り外し可能に支持され得る。図１により明確に示されるように、挿入体３０は、接着により、ハンドルの開口２８内に永久に支持されて、ハンドル２６の内壁と係合するフォーク形状の端部３２を有する。このフォーク形状の端部３２は、挿入体３０が挿入されるときに自由度を与え、好ましくは、挿入体がその場所にしっかりと残るように、ハンドル２６の中空部中でウエッジ係合される。
【００１８】
本体１０，即ち、音響チャンバ壁２０とハンドル２６とは、好ましくは、ポリスチレンのような熱可塑性樹脂で形成されている。しかし、他の合成樹脂、木、並びに／もしくはアルミニウムを含む金属を含む適当な材料が、本体１０を形成するために使用され得る。さらに、この本体１０は、第２のハンドル（図示せず）のような他の部分が形成され得る。本体１０の全体の形状とサイズとは、意図された機能と所望の審美形とによってのみ依存している。図１に示されるように、本体１０は、マラカスの形状である。
【００１９】
本体１０と同様に、挿入体３０は、熱可塑性樹脂で形成されることが望ましい。しかし、他の合成樹脂、木、並びに／もしくはアルミニウムを含む金属を含む適当な材料が、挿入体３０を形成するために使用され得る。好ましくは、挿入体３０は、全体として継ぎ目のない審美的な外観をなすように、本体１０と同じ材料で形成されている。
【００２０】
以下に、振る楽器１を製造するたの好ましい方法を説明する。体壁２０と、挿入体３０とは、適当なモールド方法並びに／もしくは装置を使用して、別々にモールド成形される。本体１０は、本体に弱く安全でない継ぎ目が生じないように実質的に単一、即ち、連続した部品として、好ましくはモールド成形される。特に好ましくは、本体１０は、射出もしくはブローにより成形される。オプションとして、本体１０は、ハンドルの開口２８を囲んだ一体的なファンネルと共にモールド成形される。この一体的なファンネルは、充填材４０が音響チャンバの中に入れられた後に、本体１０から除去され得る。本体１０は，モールド成形された後に、好ましくは、ハンドルの開口２８と適合するサイズの充填チューブもしくは同様の装置の下方の固定部に配置される。そして、充填材４０が、充填チューブを通り、ハンドルの開口２８を介して音響チャンバ２４の中に入れられる。小型のオーガが、本体１０内に入れられた充填材の量を測定するために使用され得る。このようにして、充填材４０が音響チャンバの中に配置されると、プラグ３０が、ハンドルの開口２８の中に挿入される。このプラグ３０は、ハンドルの開口２８の大部分を占めて、体壁２０内の中空スペースを減じている。実際に、プラグ３０が、ハンドルの開口２６の中に適合されると、充填材４０は、音響チャンバ２４に規制されて、ハンドルの開口２６の中に入ることができない。この形態は、楽器の音に影響し、同じに、振る楽器１のハンドルに強度を与えるために重要である。
【００２１】
かくして、本発明は、特に好ましい形態を参照して説明されたけれども、種々の交換と変更とが、請求項で規定されているような本発明の精神と範囲とを逸脱しないで、なされ得ることは明かであろう。
【図面の簡単な説明】
【図１】本発明に係わる振る楽器の断面図である。
【図２】図１の振る楽器で使用されるプラグを示す。
【図３】本発明の振る楽器の異なる実施の形態を示す。
【図１】
2004518169.tif 000003
【図２】
2004518169.tif 000004
【図３】
2004518169.tif 000005
【国際公開パンフレット】
2004518169.tif 000006
2004518169.tif 000007
2004518169.tif 000008
2004518169.tif 000009
2004518169.tif 000010
2004518169.tif 000011
2004518169.tif 000012
2004518169.tif 000013
2004518169.tif 000014
2004518169.tif 000015
2004518169.tif 000016
2004518169.tif 000017
2004518169.tif 000018
2004518169.tif 000019
2004518169.tif 000020
2004518169.tif 000021
【国際公開パンフレット（コレクトバージョン）】
2004518169.tif 000022
2004518169.tif 000023
【国際調査報告】
2004518169.tif 000024